(57)【要約】  本発明の実施例は、ランダムアクセス方法、端末装置及び記憶媒体を提供する。当該方法は、端末装置がプリアンブル（Ｐｒｅａｍｂｌｅ）リソースと物理アップリンク共有制御チャネル（ＰＵＳＣＨ：Ｐｈｙｓｉｃａｌ  Ｕｐｌｉｎｋ  Ｓｈａｒｅｄ  Ｃｈａｎｎｅｌ）リソースとの間の関連関係を取得し、取得された関連関係に基づいて前記端末装置によるランダムアクセスのためのプリアンブルリソースとＰＵＳＣＨリソースを確定することを含むことができる。これにより、ＲＡＣＨプロセスにおいて、低遅延及び高信頼性を確保する前提で、基地局のブラインド検出回数を低減し、リソース衝突を緩和することができる。
2021532661.tif 000002
【特許請求の範囲】
【請求項１】
ランダムアクセス方法であって、
端末装置がプリアンブル（Ｐｒｅａｍｂｌｅ）リソースと物理アップリンク共有チャネル（ＰＵＳＣＨ）リソースとの間の関連関係を取得することと、
前記端末装置が前記関連関係に基づき、前記端末装置によるランダムアクセスに用いられるプリアンブルリソース及びＰＵＳＣＨリソースを確定することと、を含む、前記ランダムアクセス方法。
【請求項２】
前記プリアンブルリソースとＰＵＳＣＨリソースとの間の関連関係は、
１つのプリアンブルリソースが１つのＰＵＳＣＨリソースに対応すること、
又は、１つのプリアンブルリソースが複数のＰＵＳＣＨリソースに対応すること、
又は、複数のプリアンブルリソースが１つのＰＵＳＣＨリソースに対応すること、
又は、複数のプリアンブルリソースが複数のＰＵＳＣＨリソースに対応することを含むことを特徴とする
請求項１に記載の方法。
【請求項３】
前記プリアンブルリソースは、
時間領域リソース、周波数領域リソース、コードドメインリソース及びフォーマットのうちの少なくとも１つを含むことを特徴とする
請求項１又は２に記載の方法。
【請求項４】
前記ＰＵＳＣＨリソースは、
時間領域リソース、周波数領域リソース、コードドメインリソース、パイロットリソース及びフォーマットのうちの少なくとも１つを含むことを特徴とする
請求項１〜３のいずれか一項に記載の方法。
【請求項５】
前記関連関係が、１つのプリアンブルリソースが複数のＰＵＳＣＨリソースに対応することである場合、前記端末装置が前記関連関係に基づいてプリアンブルリソースとＰＵＳＣＨリソースを確定することは、
前記端末装置が前記複数のＰＵＳＣＨリソースから１つのＰＵＳＣＨリソースをランダムに選択することを含むことを特徴とする
請求項１〜４のいずれか一項に記載の方法。
【請求項６】
前記関連関係が、複数のプリアンブルリソースが複数のＰＵＳＣＨリソースに対応することである場合、前記端末装置が前記関連関係に基づいてプリアンブルリソースとＰＵＳＣＨリソースを確定することは、
前記端末装置が前記複数のプリアンブルリソースから１つのプリアンブルを選択することと、
前記端末装置が前記複数のＰＵＳＣＨリソースから１つのＰＵＳＣＨリソースをランダムに選択することと、を含むことを特徴とする
請求項１〜４のいずれか一項に記載の方法。
【請求項７】
前記関連関係が、１つのプリアンブルリソースが複数のＰＵＳＣＨリソースに対応することである場合、前記端末装置が前記関連関係に基づいてプリアンブルリソースとＰＵＳＣＨリソースを確定することは、
前記端末装置が予め設定されたポリシーに従って前記複数のＰＵＳＣＨリソースから１つのＰＵＳＣＨリソースを選択することを含むことを特徴とする
請求項１〜４のいずれか一項に記載の方法。
【請求項８】
前記関連関係が、複数のプリアンブルリソースが複数のＰＵＳＣＨリソースに対応することである場合、前記端末装置が前記関連関係に基づいてプリアンブルリソースとＰＵＳＣＨリソースを確定することは、
前記端末装置が前記複数のプリアンブルリソースから１つのプリアンブルを選択することと、
前記端末装置が予め設定されたポリシーに従って前記複数のＰＵＳＣＨリソースから１つのプリアンブルリソースを選択することと、を含むことを特徴とする
請求項１〜４のいずれか一項に記載の方法。
【請求項９】
前記予め設定されたポリシーは、ユーザ識別情報及び変調コードのうちのいずれか１つであることを特徴とする
請求項７又は８に記載の方法。
【請求項１０】
前記端末装置が前記関連関係に基づいてプリアンブルリソースとＰＵＳＣＨリソースを確定した後、前記方法は、さらに、
前記端末装置が前記プリアンブルリソースでプリアンブルを送信することと、
前記端末装置が前記ＰＵＳＣＨリソースでＰＵＳＣＨを送信することと、を含むことを特徴とする
請求項１〜９のいずれか一項に記載の方法。
【請求項１１】
前記端末装置が前記プリアンブルと前記ＰＵＳＣＨをネットワーク装置に送信した後、前記方法は、さらに、
前記端末装置が前記ネットワーク装置から送信された、ランダムアクセスが成功したか否かを判定するために前記端末装置によって用いられるランダムアクセス応答を受信することを含むことを特徴とする
請求項１０に記載の方法。
【請求項１２】
端末装置であって、
プリアンブルリソースと物理アップリンク共有チャネル（ＰＵＳＣＨ）リソースとの間の関連関係を取得するように構成される受信ユニットと、
前記関連関係に基づき、前記端末装置によるランダムアクセスに用いられるプリアンブルリソース及びＰＵＳＣＨリソースを確定するように構成される処理ユニットと、を備える、前記端末装置。
【請求項１３】
前記プリアンブルリソースとＰＵＳＣＨリソースとの間の関連関係は、
１つのプリアンブルリソースが１つのＰＵＳＣＨリソースに対応すること、
又は、１つのプリアンブルリソースが複数のＰＵＳＣＨリソースに対応すること、
又は、複数のプリアンブルリソースが１つのＰＵＳＣＨリソースに対応すること、
又は、複数のプリアンブルリソースが複数のＰＵＳＣＨリソースに対応することを含むことを特徴とする
請求項１２に記載の端末装置。
【請求項１４】
前記プリアンブルリソースは、
時間領域リソース、周波数領域リソース、コードドメインリソース及びフォーマットのうちの少なくとも１つを含むことを特徴とする請求項１２は１３に記載の端末装置。
【請求項１５】
前記ＰＵＳＣＨリソースは、
時間領域リソース、周波数領域リソース、コードドメインリソース、パイロットリソース及びフォーマットのうちの少なくとも１つを含むことを特徴とする
請求項１２〜１４のいずれか一項に記載の端末装置。
【請求項１６】
前記関連関係が、１つのプリアンブルリソースが複数のＰＵＳＣＨリソースに対応することである場合、
前記処理ユニットは、前記複数のＰＵＳＣＨリソースから１つのＰＵＳＣＨリソースをランダムに選択するように構成されることを特徴とする
請求項１２〜１５のいずれか一項に記載の端末装置。
【請求項１７】
前記関連関係が、複数のプリアンブルリソースが複数のＰＵＳＣＨリソースに対応することである場合、
前記処理ユニットは、前記複数のプリアンブルリソースから１つのプリアンブルリソースを選択し、前記複数のＰＵＳＣＨリソースから１つのＰＵＳＣＨリソースをランダムに選択するように構成されることを特徴とする
請求項１２〜１５のいずれか一項に記載の端末装置。
【請求項１８】
前記関連関係が、１つのプリアンブルリソースが複数のＰＵＳＣＨリソースに対応することである場合、
前記処理ユニットは、予め設定されたポリシーに従って前記複数のＰＵＳＣＨリソースから１つのＰＵＳＣＨリソースを選択するように構成されることを特徴とする
請求項１２〜１５のいずれか一項に記載の端末装置。
【請求項１９】
前記関連関係が、複数のプリアンブルリソースが複数のＰＵＳＣＨリソースに対応することである場合、
前記処理ユニットは、前記複数のプリアンブルリソースから１つのプリアンブルリソースを選択し、予め設定されたポリシーに従って前記複数のＰＵＳＣＨリソースから１つのプリアンブルリソースを選択するように構成されることを特徴とする
請求項１２〜１５のいずれか一項に記載の端末装置。
【請求項２０】
前記予め設定されたポリシーは、ユーザ識別情報及び変調コードのうちのいずれか１つであることを特徴とする
請求項１８又は１９に記載の端末装置。
【請求項２１】
前記端末装置はさらに、
前記プリアンブルリソースでプリアンブルを送信し、前記ＰＵＳＣＨリソースでＰＵＳＣＨを送信するように構成される送信ユニットを備えることを特徴とする
請求項１２〜２０のいずれか一項に記載の端末装置。
【請求項２２】
前記受信ユニットは、さらに、前記ネットワーク装置から送信された、ランダムアクセスが成功したか否かを判定するために前記端末装置によって用いられるランダムアクセス応答を受信するように構成されることを特徴とする
請求項２１に記載の端末装置。
【請求項２３】
端末装置であって、
プロセッサとメモリとを備え、前記メモリがコンピュータプログラムを記憶するように構成され、前記プロセッサが、前記メモリに記憶されたコンピュータプログラムを呼び出して実行して、請求項１〜１１のいずれか一項に記載のランダムアクセス方法を実行するように構成される、前記端末装置。
【請求項２４】
チップであって、
メモリからコンピュータプログラムを呼び出して実行して、前記チップが取り付けられた装置に、請求項１〜１１のいずれか一項に記載のランダムアクセス方法を実行させるように構成されるプロセッサを備える、前記チップ。
【請求項２５】
コンピュータに請求項１〜１１のいずれか一項に記載のランダムアクセス方法を実行させるためのコンピュータプログラムを記憶したコンピュータ可読記憶媒体。
【請求項２６】
コンピュータに請求項１〜１１のいずれか一項に記載のランダムアクセス方法を実行させるためのコンピュータプログラム命令を含むコンピュータプログラム製品。
【請求項２７】
コンピュータに請求項１〜１１のいずれか一項に記載のランダムアクセス方法を実行させるコンピュータプログラム。
【発明の詳細な説明】
【技術分野】
【０００１】
本出願の実施例は、無線通信技術分野に関し、具体的にはランダムアクセス方法、端末装置及び記憶媒体に関する。
【背景技術】
【０００２】
第５世代（５Ｇ：５ｔｈ  Ｇｅｎｅｒａｔｉｏｎ）の新しい無線（ＮＲ：Ｎｅｗ  Ｒａｄｉｏ）システムでの多くのサービスに低遅延及び高信頼性が要求される。現在、ランダムアクセスプロセスにおいて、低遅延及び高信頼性を確保する前提で、どのように基地局のブラインド検出回数を低減させ、リソース衝突を緩和するかについては効果的な解決策がない。
【発明の概要】
【課題を解決するための手段】
【０００３】
本出願の実施例は、ランダムアクセスプロセスにおいて、低遅延及び高信頼性を保証する前提で、基地局のブラインド検出回数を低減させ、リソース衝突を緩和することができる、ランダムアクセス方法、端末装置及び記憶媒体を提供する。
【０００４】
第一の態様によれば、本発明の実施例はランダムアクセス方法を提供する。前記ランダムアクセス方法は、
端末装置がプリアンブル（Ｐｒｅａｍｂｌｅ）リソースと物理アップリンク共有制御チャネル（ＰＵＳＣＨ：Ｐｈｙｓｉｃａｌ  Ｕｐｌｉｎｋ  Ｓｈａｒｅｄ  Ｃｈａｎｎｅｌ）リソースとの間の関連関係を取得することと、
前記端末装置が前記関連関係に基づき、前記端末装置によるランダムアクセスに用いられるプリアンブルリソース及び前記ＰＵＳＣＨリソースを確定することと、を含む。
【０００５】
第二の態様によれば、上記第一の態様又はその各実施方式におけるランダムアクセス方法を実行するように構成される端末装置を提供する。
【０００６】
具体的には、当該端末装置は、上記第一の態様又はその各実施方式における方法を実行するための機能モジュールを備える。
【０００７】
第三の態様によれば、プロセッサとメモリとを備える端末装置を提供する。当該メモリは、コンピュータプログラムを記憶するように構成され、当該プロセッサは、当該メモリに記憶されたコンピュータプログラムを呼び出して実行し、上記第一の態様又はその各実施方式における方法を実行するように構成される。
【０００８】
第四の態様によれば、上記第一の態様又はその各実施方式における方法を実行するように構成されるチップを提供する。
【０００９】
具体的には、当該チップは、メモリからコンピュータを呼び出して実行するように構成されるプロセッサを備え、これにより、当該チップが取り付けられた装置は、上記第一の態様又はその各実施方式における方法を実行する。
【００１０】
第五の態様によれば、コンピュータ可読記憶媒体を提供する。当該コンピュータ可読記憶媒体は、コンピュータに上記第一の態様又はその各実施方式における方法を実行させるためのコンピュータプログラムを記憶することに用いられる。
【００１１】
第六の態様によれば、コンピュータプログラム製品を提供する。当該コンピュータプログラム製品は、コンピュータに上記第一の態様又はその各実施方式における方法を実行させるためのコンピュータプログラム命令を含む。
【００１２】
第七の態様によれば、コンピュータプログラムを提供する。当該コンピュータプログラムは、コンピュータで実行される場合、コンピュータが上記第一の態様又はその各実施方式における方法を実行する。
【発明の効果】
【００１３】
上記技術的解決策により、端末装置は、プリアンブルリソースとＰＵＳＣＨリソースとの間の関連関係を取得することができ、取得された関連関係に基づき、前記端末装置によるランダムアクセスに用いられるプリアンブルリソースとＰＵＳＣＨリソースを確定することができ、前記関連関係が、１つのプリアンブルリソースが１つのＰＵＳＣＨリソースに対応することである場合、基地局は、端末装置から送信されたプリアンブルとＰＵＳＣＨを受信した後、ブラインド検出を行うことなくＰＵＳＣＨリソースを確定することができるため、基地局のブラインド検出回数が低減される。前記関連関係が、１つのプリアンブルリソースが複数のＰＵＳＣＨリソースに対応することである場合、且つ２つ以上の端末装置が同一のプリアンブルを選択する場合、各端末装置が１つのＰＵＳＣＨリソースに対応することを実現することができ、これにより、端末装置がプリアンブルを選択して衝突する場合のＰＵＳＣＨリソースの衝突問題を解決する。前記関連関係が、複数のプリアンブルリソースが１つのＰＵＳＣＨリソースに対応することである場合、ＰＵＳＣＨリソースの予約によるリソース浪費を減らすことができる。前記関連関係が、複数のプリアンブルリソースが複数のＰＵＳＣＨリソースに対応することである場合、端末装置がプリアンブルを選択して衝突する場合のＰＵＳＣＨリソースの衝突問題を解決することができるだけでなく、ＰＵＳＣＨリソースの予約によるリソース浪費を減らすことができる。
【図面の簡単な説明】
【００１４】
【図１】関連技術におけるＮＲシステムのランダムアクセス方法の処理フローを示す図である。
【図２】本出願の実施例による改善されたランダムアクセス方法の処理フローを示す図である。
【図３】本出願の実施例による通信システムの概略アーキテクチャ図である。
【図４】本出願の実施例によるランダムアクセス方法の選択可能な処理フローを示す図である。
【図５】本出願の実施例による端末装置の構成構造図である。
【図６】本出願の実施例による端末装置のハードウェア構造図である。
【図７】本出願の実施例によるチップの概略ブロック図である。
【図８】本出願の実施形態による通信システムの概略ブロック図である。
【発明を実施するための形態】
【００１５】
以下に本出願の実施例の図面を参照しながら本出願の実施例における技術的解決策を説明し、明らかに、説明される実施例は、本出願の実施例の一部だけであり、全ての実施例ではない。本出願の実施例に基づき、当業者が創造的な労力を要せずに得る他の実施例は、全て本出願の保護範囲に属する。
【００１６】
本発明の実施例を詳細に説明する前に、まず、関連技術におけるＮＲシステムのランダムアクセスチャネル（ＲＡＣＨ：ｒａｎｄｏｍ  ａｃｃｅｓｓ  ｃｈａｎｎｅｌ）プロセスを紹介する。図１に示すように、ＲＡＣＨプロセスの処理フローには、４つのステップがある。
【００１７】
ステップＳ１０１において、端末装置は、メッセージ１（ＭＳＧ１：ｍｅｓｓａｇｅ  １）を介してネットワーク装置へランダムアクセスプリアンブルを送信する。
【００１８】
ステップＳ１０２において、ネットワーク装置が、端末装置がプリアンブルを送信することを検出した後、ネットワーク装置は、ＭＳＧ２を介して端末装置へランダムアクセス応答（ＲＡＲ：Ｒａｎｄｏｍ  Ａｃｃｅｓｓ  Ｒｅｓｐｏｎｓｅ）メッセージを送信し、ＭＳＧ３を送信するときに使用できるアップリンクリソース情報を端末装置に通知し、端末装置に無線ネットワークの一時的識別子（ＲＮＴＩ：Ｒａｄｉｏ  Ｎｅｔｗｏｒｋ  Ｔｅｍｐｏｒｙ  Ｉｄｅｎｔｉｔｙ）を割り当て、端末装置にタイムアドバンスコマンド（ｔｉｍｅ  ａｄｖａｎｃｅ  ｃｏｍｍａｎｄ）などを提供する。
【００１９】
ステップ１０３において、端末装置は、ＲＡＲメッセージを受信した後、ＲＡＲメッセージで指定されたアップリンクリソースで端末装置の固有の一時的識別情報を含むＭＳＧ３を送信する。
【００２０】
ステップＳ１０４において、ネットワーク装置は、競合解決メッセージを含むＭＳＧ４を端末装置に送信するとともに、端末装置にアップリンク伝送リソースを割り当てる。
【００２１】
端末装置は、ネットワーク装置から送信されたＭＳＧ４を受信するとき、ＭＳＧ３を介して端末装置によって送信された端末装置の固有の一時的識別子が、基地局から送信された競合解決メッセージに含まれているか否かを検出し得る。競合解決メッセージに端末装置の固有の一時的識別子が含まれている場合は、端末装置によるランダムアクセス（ＲＡＣＨ）プロセスが成功したことを示す。それ以外の場合は、ランダムプロセスが失敗したと見なされ、端末装置は、ステップ１からＲＡＣＨプロセスを再度開始する必要がある。
【００２２】
上記ＲＡＣＨプロセスにはネットワーク装置と端末装置が４回の情報インタラクションを行う必要があるため、ＲＡＣＨプロセスの時間が長くなることを考慮すると、ＲＡＣＨプロセスの時間延長の問題のために、改善されたＲＡＣＨ方法を提供する。前記方法は、図２に示すように、以下のステップを含む。
【００２３】
ステップＳ２０１において、端末装置は、プリアンブルと物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）をネットワーク装置に送信する。
【００２４】
ステップＳ２０２において、ネットワーク装置は、競合解決を伴うランダムアクセス応答（Ｒａｎｄｏｍ  Ａｃｃｅｓｓ  Ｒｅｓｐｏｎｓｅ  ｗｉｔｈ  ｃｏｎｔｅｎｔｉｏｎ  ｒｅｓｏｌｕｔｉｏｎ）を端末装置に送信する。
【００２５】
上記の改善されたＲＡＣＨ方法については、現在、ネットワーク装置のブラインド検出回数の削減、及び複数の端末装置による同一のプリアンブルの選択によって引き起こされるＰＵＳＣＨリソースの衝突問題に対する効果的な解決策はまだない。
【００２６】
上記問題に鑑み、本出願は、ランダムアクセス方法を提供する。本出願によって提供されるランダムアクセス方法の実施例の技術的解決策は、様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバル相互接続マイクロ波アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は５Ｇシステムなどに応用されてもよい。
【００２７】
例示的に、本出願の実施例に応用される通信システム１００は、図３に示される。当該通信システム１００は、ネットワーク装置１１０を備えることができ、ネットワーク装置１１０は、端末装置１２０（又は通信端末、端末と呼ばれる）と通信することができる装置であってもよい。ネットワーク装置１１０は、特定の地理的エリアに対して通信カバレッジを提供することができ、そして当該カバレッジエリアに位置する端末装置と通信を行うことができる。選択可能に、当該ネットワーク装置１１０は、ＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける進化型基地局（ｅＮＢ又はｅＮｏｄｅＢ：Ｅｖｏｌｕｔｉｏｎａｌ  ＮｏｄｅＢ）であってもよく、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラであってもよく、又は当該ネットワーク装置は、モバイル交換センター、中継局、アクセスポイント、車載デバイス、ウェアラブルデバイス、ハブ、スイッチ、ブリッジ、ルーター、５Ｇネットワークにおけるネットワーク側装置又は将来の進化した公衆陸上モバイルネットワーク（ＰＬＭＮ：Ｐｕｂｌｉｃ  Ｌａｎｄ  Ｍｏｂｉｌｅ  Ｎｅｔｗｏｒｋ）におけるネットワーク装置などであってもよい。
【００２８】
当該通信システム１００は、さらにネットワーク装置１１０のカバレッジに位置する少なくとも一つの端末装置１２０を備える。ここで使用される「端末装置」として、公衆交換電話ネットワーク（ＰＳＴＮ：Ｐｕｂｌｉｃ  Ｓｗｉｔｃｈｅｄ  Ｔｅｔｅｎｄｅｄ  Ｔｅｅ  ｗｏｒｋｓ）、デジタル加入者回線（ＤＳＬ：Ｄｉｇｉｔａｌ  Ｓｕｂｓｃｒｉｅｒ  Ｌｉｎｅ）、デジタルケーブル、直接ケーブル等の有線回線を介して接続され、及び／又は別のデータ接続／ネットワークを介して接続される装置、及び／又は無線インタフェースを介し、例えばセルラネットワーク、無線ローカルエリアネットワーク（ＷＬＡＮ：Ｗｉｒｅｌｅｓｓ  Ｌｏｃａｌ  Ａｒｅａ  Ｎｅｔｗｏｒｋ）、ＤＶＢ−Ｈネットワークのようなデジタルテレビネットワーク、衛星ネットワーク、ＡＭ−ＦＭ放送送信機に対する装置、及び／又は別の端末装置の通信信号を受信／送信するように設けられる装置、及び／又はモノのインターネット（ＩｏＴ：Ｉｎｔｅｒｎｅｔ  ｏｆ  Ｔｈｉｎｇｓ）装置を含むがこれらに限定されない。無線インタフェースを介して通信するように設けられる端末装置は、「無線通信端末」、「無線端末」又は「移動端末」と呼ばれてもよい。移動端末の例は、衛星電話又はセルラー電話、セルラー無線電話とデータ処理、ファクシミリ及びデータ通信機能を組み合わせることができるパーソナル通信システム（ＰＣＳ：Ｐｅｒｓｏｎａｌ  Ｃｏｍｍｕｎｉｃａｔｉｏｎｓ  Ｓｙｓｔｅｍ）端末、無線電話、ページャー、インターネット／イントラネットアクセス、Ｗｅｂブラウザー、メモ帳、カレンダー及び／又は全地球測位システム（ＧＰＳ：Ｇｌｏｂａｌ  Ｐｏｓｉｔｉｏｎｉｎｇ  Ｓｙｓｔｅｍ）受信機を備えることができるＰＤＡ、及び従来のラップトップ及び／又はパームトップ受信機又は無線電話トランシーバーを含むその他の電子装置を含むがこれらに限定されない。端末装置は、アクセス端末、ユーザ装置（ＵＥ：Ｕｓｅｒ  Ｅｑｕｉｐｍｅｎｔ）、加入者ユニット、加入者局、移動局、移動ステーション、遠隔局、遠隔端末、移動装置、ユーザ端末、端末、無線通信装置、ユーザエージェント又はユーザ装置を指すことができる。アクセス端末は、セルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、
無線ローカルループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、５Ｇネットワークにおける端末装置又は将来の進化したＰＬＭＮネットワークにおける端末装置などであってもよい。
【００２９】
選択可能に、端末装置１２０同士は、端末直接接続（Ｄ２Ｄ：Ｄｅｖｉｃｅ  ｔｏ  Ｄｅｖｉｃｅ）通信を行うことができる。
【００３０】
選択可能に、５Ｇシステム又は５Ｇネットワークは、新しい無線（ＮＲ：Ｎｅｗ  Ｒａｄｉｏ）システム又はＮＲネットワークとも呼ばれてもよい。
【００３１】
図３には一つのネットワーク装置と２つの端末装置が例示的に示されている。選択可能に、当該通信システム１００は、複数のネットワーク装置を備えることができ且つ各ネットワーク装置のカバレッジで他の数の端末装置を備えることができ、本出願の実施例でこれに限定されない。
【００３２】
選択可能に、当該通信システム１００は、さらにネットワークコントローラ、移動管理エンティティなどの他のネットワークエンティティを備えることができ、本出願の実施形態でこれに限定されない。
【００３３】
本出願の実施例におけるネットワーク／システム内の通信機能を備えた装置は、通信装置と呼ばれてもよいことが理解すべきである。図３に示す通信システム１００を例とすると、通信装置は、通信機能を備えたネットワーク装置１１０と端末装置１２０とを備えることができ、ネットワーク装置１１０と端末１２０は、上記の具体的な装置であってもよく、ここで説明を省略する。通信装置は、さらに通信システム１００における他の装置、例えばネットワークコントローラ、移動管理エンティティなどの他のネットワークエンティティを含むことができ、本出願の実施例でこれに限定されない。
【００３４】
本明細書で用語「システム」と「ネットワーク」は、常に本明細書で互換可能に使用されることが理解すべきである。本明細書では「及び／又は」用語は、関連するオブジェクトの関連関係を記述するためのものだけであり、３種類の関係が存在することができることを示し、例えば、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【００３５】
図４は本出願の実施例によるランダムアクセス方法の選択可能な処理フローを示す図である。当該処理フローは、以下のステップを含む。
【００３６】
ステップＳ３０１において、端末装置は、プリアンブルリソースとＰＵＳＣＨリソースとの間の関連関係を取得する。
【００３７】
いくつかの実施例では、前記端末装置は、ネットワーク装置からブロードキャストなどの方式で送信されたプリアンブルリソースとＰＵＳＣＨリソースとの間の関連関係を取得し、又は、前記端末装置は、プロトコルに従ってプリアンブルリソースとＰＵＳＣＨリソースとの間の関連関係を取得する。
【００３８】
ここで、前記プリアンブルリソースとＰＵＳＣＨリソースとの間の関連関係は、１つのプリアンブルリソースが１つのＰＵＳＣＨリソースに対応すること、又は１つのプリアンブルリソースが複数のＰＵＳＣＨリソースに対応すること、又は複数のプリアンブルリソースが１つのＰＵＳＣＨリソースに対応すること、又は複数のプリアンブルリソースが複数のＰＵＳＣＨリソースに対応することを含む。
【００３９】
前記プリアンブルリソースは、時間領域リソース、周波数領域リソース、コードドメインリソース及びフォーマットのうちの少なくとも１つを含む。前記プリアンブルリソースは、時間領域リソース、周波数領域リソース、コードドメインリソース又はフォーマットのいずれか一つを含むことが理解できる。又は、前記プリアンブルリソースは、時間領域リソース、周波数領域リソース、コードドメインリソース及びフォーマットの任意の組み合わせを含み、例えば、前記プリアンブルリソースは、時間領域リソースと周波数領域リソースを含み、又は、前記プリアンブルリソースは、時間領域リソース、周波数領域リソース及びフォーマットを含み、又は前記プリアンブルリソースは、時間領域リソース、周波数領域リソース、コードドメインリソース及びフォーマットなどの複数の組み合わせを含む。
【００４０】
前記ＰＵＳＣＨリソースは、時間領域リソース、周波数領域リソース、コードドメインリソース、パイロットリソース及びフォーマットのうちの少なくとも１つを含む。ＰＵＳＣＨプリアンブルリソースは、時間領域リソース、周波数領域リソース、コードドメインリソース、パイロットリソース又はフォーマットを含むことが理解できる。又は、ＰＵＳＣＨリソースは、時間領域リソースと周波数領域リソースを含み、又は、ＰＵＳＣＨリソースは、時間領域リソース、周波数領域リソース及びコードドメインリソースを含み、又は、ＰＵＳＣＨリソースは、時間領域リソース、周波数領域リソース、コード領域リソース、パイロットリソース及びフォーマットなどの複数の組み合わせを含む。
【００４１】
ステップＳ３０２において、端末装置は、前記関連関係に基づいてプリアンブルリソースとＰＵＳＣＨリソースを確定する。
【００４２】
ここで、前記プリアンブルリソースとＰＵＳＣＨリソースは、前記端末装置によるランダムアクセスに用いられ、具体的には、前記プリアンブルリソースは、前記端末装置がランダムアクセスを行うときにプリアンブルを送信することに用いられ、前記ＰＵＳＣＨリソースは、前記端末装置がランダムアクセスを行う時にＰＵＳＣＨを送信することに用いられる。
【００４３】
いくつかの実施例では、前記関連関係が、１つのプリアンブルリソースが１つのＰＵＳＣＨリソースに対応することである場合、端末装置は、当該プリアンブルリソースが端末装置によるランダムアクセスに用いられるプリアンブルリソースであることを確定し、端末装置は、当該ＰＵＳＣＨリソースが端末装置によるランダムアクセスに用いられるＰＵＳＣＨリソースであることを確定する。本発明の実施例では、１つのプリアンブルリソースが１つのＰＵＳＣＨリソースに対応するため、ネットワーク装置は、プリアンブルリソースで端末装置から送信されたプリアンブルを受信するときに、ＰＵＳＣＨを伝送するためのＰＵＳＣＨリソースを確定することができ、これにより、ネットワーク装置のブラインド検出回数が低減される。
【００４４】
前記関連関係が、１つのプリアンブルリソースが複数のＰＵＳＣＨリソースに対応することである場合、端末装置は、複数のＰＵＳＣＨリソースから１つのＰＵＳＣＨリソースを、端末装置によるランダムアクセスに用いられるＰＵＳＣＨリソースとしてランダムに選択し、又は、端末装置は、予め設定されたポリシーに従って複数のＰＵＳＣＨリソースから１つのＰＵＳＣＨリソースを、端末装置によるランダムアクセスに用いられるＰＵＳＣＨリソースとして選択する。前記予め設定されたポリシーは、ユーザ識別情報及び変調コードのうちのいずれか１つであってもよく、ユーザ識別情報は、端末装置識別子（ＵＥ  ＩＤ：Ｕｓｅｒ  Ｅｑｕｉｐｍｅｎｔ  Ｉｄｅｎｔｉｆｙ）であってもよい。本発明の実施例では、２つ以上の端末装置が同一のプリアンブルを選択する場合、第一の端末装置と第二の端末装置が同一のプリアンブルリソースを選択することを例とし、１つのプリアンブルリソースが複数のＰＵＳＣＨリソースに対応するため、第一の端末装置と第二の端末装置は、それぞれ第一のＰＵＳＣＨリソースと第二のＰＵＳＣＨリソースに対応することができ、これにより、端末装置がプリアンブルを選択して衝突する場合のＰＵＳＣＨリソースの衝突の問題を解決する。端末装置がセル内のそれ自体の位置に基づいて変調コードを選択し、選択された変調コードに基づいて複数のＰＵＳＣＨリソースから１つのＰＵＳＣＨを選択する場合、伝送リンクの適応を実現し、データ伝送効率を向上させることができる。
【００４５】
前記関連関係が、複数のプリアンブルリソースが１つのＰＵＳＣＨリソースに対応することである場合、端末装置は、複数のプリアンブルリソースから１つのプリアンブルを、端末装置によるランダムアクセスに用いられるプリアンブルリソースとして選択し、端末装置は、当該ＰＵＳＣＨリソースが端末装置によるランダムアクセスに用いられるＰＵＳＣＨリソースであることを確定する。本発明の実施例では、対応するＰＵＳＣＨリソースをプリアンブルリソース用に予約する必要があるため、端末装置のアクセスが少ない場合、１つのＰＵＳＣＨリソースを複数のプリアンブルリソース用に予約することができ、これにより、ＰＵＳＣＨリソースの予約によるリソース浪費を減らすことができる。
【００４６】
前記関連関係が、複数のプリアンブルリソースが複数のＰＵＳＣＨリソースに対応することである場合、端末装置は、複数のプリアンブルリソースから１つのプリアンブルを、端末装置によるランダムアクセスに用いられるプリアンブルリソースとして選択し、端末装置は、複数のＰＵＳＣＨリソースから１つのＰＵＳＣＨリソースをランダムに選択し、又は予め設定されたポリシーに従って１つのＰＵＳＣＨリソースを端末装置によるランダムアクセスに用いられるＰＵＳＣＨリソースとして選択する。前記予め設定されたポリシーは、ユーザ識別情報及び変調コードのうちのいずれか１つであってもよく、ユーザ識別情報がＵＥ  ＩＤであってもよい。上記の複数のプリアンブルリソースが１つのＰＵＳＣＨリソースに対応するという関連関係及び１つのプリアンブルリソースが複数のＰＵＳＣＨリソースに対応するという関連関係についての説明に基づき、本発明の実施例は、複数のプリアンブルリソースを複数のＰＵＳＣＨリソースに関連付けることにより、端末装置がプリアンブルを選択して衝突する場合のＰＵＳＣＨリソースの衝突問題を解決することができるだけでなく、ＰＵＳＣＨリソースの予約によるリソース浪費を減らすことができる。
【００４７】
上記ランダムアクセス方法に基づき、本発明の実施例はさらに端末装置を提供する。前記端末装置５００の構成構造は、図５に示すように、
プリアンブルリソースとＰＵＳＣＨリソースとの間の関連関係を取得するように構成される受信ユニット５０１と、
前記関連関係に基づき、前記端末装置によるランダムアクセスに用いられるプリアンブルリソース及びＰＵＳＣＨリソースを確定するように構成される処理ユニット５０２と、を備える。
【００４８】
一実施例では、前記プリアンブルリソースとＰＵＳＣＨリソースとの間の関連関係は、１つのプリアンブルリソースが１つのＰＵＳＣＨリソースに対応すること、又は１つのプリアンブルリソースが複数のＰＵＳＣＨリソースに対応すること、又は複数のプリアンブルリソースが１つのＰＵＳＣＨリソースに対応すること、又は複数のプリアンブルリソースが複数のＰＵＳＣＨリソースに対応することを含む。
【００４９】
一実施例では、前記プリアンブルリソースは、時間領域リソース、周波数領域リソース及びコードドメインリソースの少なくとも１つを含む。
【００５０】
一実施例では、前記ＰＵＳＣＨリソースは、時間領域リソース、周波数領域リソース、コードドメインリソース、パイロットリソース及びフォーマットリソースの少なくとも１つを含む。
【００５１】
一実施例では、前記関連関係が、１つのプリアンブルリソースが複数のＰＵＳＣＨリソースに対応することである場合、
前記処理ユニット５０２は、前記複数のＰＵＳＣＨリソースから１つのＰＵＳＣＨリソースをランダムに選択するように構成される。
【００５２】
一実施例では、前記関連関係が、複数のプリアンブルリソースが複数のＰＵＳＣＨリソースに対応する場合、前記処理ユニット５０２は、前記複数のプリアンブルリソースから１つのプリアンブルリソースを選択し、前記複数のＰＵＳＣＨリソースから１つのＰＵＳＣＨリソースをランダムに選択するように構成される。
【００５３】
一実施例では、前記関連関係が、１つのプリアンブルリソースが複数のＰＵＳＣＨリソースに対応することである場合、前記処理ユニット５０２は、予め設定されたポリシーに従って前記複数のＰＵＳＣＨリソースから１つのＰＵＳＣＨリソースを選択するように構成される。
【００５４】
一実施例では、前記関連関係が、複数のプリアンブルリソースが複数のＰＵＳＣＨリソースに対応することである場合、前記処理ユニット５０２は、前記複数のプリアンブルリソースから１つのプリアンブルリソースを選択し、予め設定されたポリシーに従って前記複数のＰＵＳＣＨリソースから１つのＰＵＳＣＨリソースを選択するように構成される。
【００５５】
一実施例では、前記予め設定されたポリシーは、ユーザ識別情報及び変調コードのうちのいずれか１つであり、ユーザ識別情報がＵＥ  ＩＤであってもよい。
【００５６】
一実施例では、前記端末装置５００は、さらに前記プリアンブルリソースでプリアンブルを送信し、前記ＰＵＳＣＨリソースでＰＵＳＣＨを送信するように構成される送信ユニット５０３を備える。
【００５７】
一実施例では、前記受信ユニット５０１は、さらに前記ネットワーク装置から送信された、ランダムアクセスが成功したか否かを判定するために前記端末装置によって用いられるランダムアクセス応答を受信するように構成される。
【００５８】
図６は本出願の実施例による端末装置６００のハードウェア構造図である。図６に示す通信装置６００は、プロセッサ６１０を備え、プロセッサ６１０がメモリからコンピュータプログラムを呼び出して実行し、本出願の実施例におけるランダムアクセス方法を実現することができる。
【００５９】
選択可能に、図６に示すように、端末装置６００は、さらにメモリ６２０をさらに備えることができる。ここで、プロセッサ６１０は、メモリ６２０からコンピュータプログラムを呼び出して実行し、本出願の実施例における方法を実現することができる。
【００６０】
ここで、メモリ６２０は、プロセッサ６１０から独立した別個のデバイスであってもよく、プロセッサ６１０に統合されてもよい。
【００６１】
選択可能に、図６に示すように、端末装置６００は、さらに送受信機６３０を備えることができ、プロセッサ６１０は、他の装置と通信するように当該送受信機６３０を制御することができ、具体的には、他の装置へ情報又はデータを送信し、又は他の装置から送信された情報又はデータを受信することができる。
【００６２】
ここで、送受信機６３０は、送信機と受信機を含むことができる。送受信機６３０はさらにアンテナを含むことができ、アンテナの数が一つ又は複数であってもよい。
【００６３】
選択可能に、当該端末装置６００は、具体的には本出願の実施例のネットワーク装置であってもよく、そして該通信装置６００は、本出願の実施例の各方法におけるネットワーク装置によって実現される対応フローを実現することができ、簡潔にするために、ここでは説明を省略する。
【００６４】
選択可能に、当該端末装置６００は、具体的には本出願の実施例の移動端末装置／端末装置であってもよく、そして該通信装置６００は、本出願の実施例の各方法における移動端末装置／端末装置によって実現される対応フローを実現することができ、簡潔にするために、ここでは説明を省略する。
【００６５】
図７は本出願の実施例によるチップの概略構造図である。図７に示すチップ７００は、プロセッサ７１０を備え、プロセッサ７１０は、メモリからコンピュータプログラムを呼び出して実行し、本出願の実施例におけるランダムアクセス方法を実現することができる。
【００６６】
選択可能に、図７に示すように、チップ７００は、さらにメモリ７２０を備えることができる。ここで、プロセッサ７１０は、メモリ７２０からコンピュータプログラムを呼び出して実行し、本出願の実施例における方法を実現することができる。
【００６７】
ここで、メモリ７２０は、プロセッサ７１０から独立した別個のデバイスであってもよく、プロセッサ７１０に統合されてもよい。
【００６８】
選択可能に、当該チップ７００は、さらに入力インタフェース７３０を備えることができる。ここで、プロセッサ７１０は、他の装置又はチップと通信するように当該入力インタフェース７３０を制御することができ、具体的には、他の装置又はチップから送信された情報又はデータを取得するように当該入力インタフェース７３０を制御することができる。
【００６９】
選択可能に、当該該チップ７００は、さらに出力インタフェース７４０を備えることができる。ここで、プロセッサ７１０は、他の装置又はチップと通信するように当該入力インタフェース７４０を制御することができ、具体的には、他の装置又はチップへ情報又はデータを出力するように当該出力インタフェース１７４０を制御することができる。
【００７０】
選択可能に、当該チップは、本出願の実施例における端末装置に応用されてもよく、そして当該チップは、本出願の実施例の各方法における端末装置によって実現される対応フローを実現することができ、簡潔にするために、ここでは説明を省略する。
【００７１】
本出願の実施例に言及されるチップは、さらにシステムレベルチップ、システムチップ、チップシステム又はシステムオンチップとも呼ばれてもよいことが理解すべきである。
【００７２】
図８は本出願の実施例による通信システム８００の概略ブロック図である。図８に示すように、当該通信システム８００は、端末装置８１０及びネットワーク装置８２０を含み、端末装置８１０は、ネットワーク装置８２０によって送信されたプリアンブルリソースとＰＵＳＣＨリソースとの間の関連関係を受信し、関連関係に基づいてプリアンブルリソース及びＰＵＳＣＨリソースを確定し、端末装置８０１は、確定されたプリアンブルリソースでネットワーク装置へプリアンブルを送信し、確定されたＰＵＳＣＨリソースでネットワーク装置へＰＵＳＣＨを送信する。ネットワーク装置８２０は、端末装置８１０へランダムアクセス応答を送信する。
【００７３】
ここで、当該端末装置８１０は、上記方法における端末装置によって実現される、対応する機能を実現することに用いられてもよく、当該ネットワーク装置８２０は、上記方法におけるネットワーク装置によって実現される、対応する機能を実現することに用いられてもよく、簡潔にするために、ここでは説明を省略する。
【００７４】
本出願の実施例におけるプロセッサは、信号処理機能を有する集積回路チップであってもよいことが理解すべきである。実施プロセスでは、上記方法の実施例における各ステップは、プロセッサ内のハードウェアの集積論理回路又はソフトウェアの形のコマンドによって完了されてもよい。上記プロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、ディスクリートゲート又はトランジスタ論理デバイス、ディスクリートハードウェア部材であってもよい。本出願の実施形態において開示される各方法、ステップ及び論理ブロック図を実現又は実行することができる。汎用プロセッサは、マイクロプロセッサであってもよく、又は該プロセッサはいずれかの従来のプロセッサなどであってもよい。本出願の実施例と組み合わせて開示された方法のステップは、ハードウェア復号プロセッサによって実行されて完了され、又は復号プロセッサにおけるハードウェア及びソフトウェアモジュールの組み合わせによって実行されて完了されるように直接具現化されてもよい。ソフトウェアモジュールは、ランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。当該記憶媒体は、メモリに位置し、プロセッサは、メモリにおける情報を読み取り、そのハードウェアと組み合わせて上記方法のステップを完了する。
【００７５】
本出願の実施例におけるメモリは揮発性記憶装置又は不揮発性記憶装置であってもよく、又は揮発性記憶装置及び不揮発性記憶装置両者を含むことができることが理解できる。ここで、不揮発性記憶装置は、読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は、外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは、利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲ  ＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ：Ｄｉｒｅｃｔ  Ｒａｍｂｕｓ  ＲＡＭ）である。本明細書に記載のシステムと方法のメモリはこれらといずれかの他の適切なタイプのメモリを含むことを図るがこれらに限定されないことに注意すべきである。
【００７６】
上記メモリは、例示的であるが限定的に説明されたものではないことが理解すべきであり、例えば、本出願の実施例におけるメモリは、さらにスタティックランダムアクセスメモリ（ＳＲＡＭ：ｓｔａｔｉｃ  ＲＡＭ）、動的ランダムアクセスメモリ（ＤＲＡＭ：ｄｙｎａｍｉｃ  ＲＡＭ）、同期動的ランダムアクセスメモリ（ＳＤＲＡＭ：ｓｙｎｃｈｒｏｎｏｕｓ  ＤＲＡＭ）、ダブルデータレート同期動的ランダムアクセスメモリ（ＤＤＲ  ＳＤＲＡＭ：ｄｏｕｂｌｅ  ｄａｔａ  ｒａｔｅ  ＳＤＲＡＭ）、強化型同期動的ランダムアクセスメモリ（ＥＳＤＲＡＭ：ｅｎｈａｎｃｅｄ  ＳＤＲＡＭ）、同期リンク動的ランダムアクセスメモリ（ＳＬＤＲＡＭ：ｓｙｎｃｈ  ｌｉｎｋ  ＤＲＡＭ）及びダイレクトラムバスランダムアクセスメモリ（ＤＲ  ＲＡＭ：Ｄｉｒｅｃｔ  Ｒａｍｂｕｓ  ＲＡＭ）であってもよい。即ち、本出願の実施例におけるメモリは、これらと任意の他の適切なタイプのメモリを含むことを図るがこれらに限定されない。
【００７７】
選択可能に、当該コンピュータ可読記憶媒体は、本出願の実施例における端末装置に応用されてもよく、そして該コンピュータプログラムにより、コンピュータが本出願の実施例における各方法の端末装置によって実現される、対応するフローを実行し、簡潔にするために、ここでは説明を省略する。
【００７８】
本出願の実施例はさらにコンピュータプログラム命令を含むコンピュータプログラム製品を提供する。
【００７９】
選択可能に、当該コンピュータプログラム製品は、本出願の実施例における端末装置に応用されてもよく、当該コンピュータプログラム命令は、コンピュータが本出願の実施例の各方法において端末装置によって実現される対応するフローを実行することを可能にする。簡潔にするために、ここでは詳細な説明を省略する。
【００８０】
本出願の実施例はさらにコンピュータプログラムを提供する。
【００８１】
選択可能に、当該コンピュータプログラムは、本出願の実施例における端末装置に応用されてもよく、当該コンピュータプログラムがコンピュータで実行される場合、コンピュータが、本出願の実施例の各方法において端末装置によって実現される対応するプロセスを実行することを可能にする。簡潔にするために、ここでは詳細な説明を省略する。
【００８２】
当業者であれば、本明細書で開示される実施例と組み合わせて説明された各例のユニット及びアルゴリズムステップが電子ハードウェア、又はコンピュータソフトウェアと電子ハードウェアの組み合わせで実現されてもよいことを理解できる。これらの機能がハードウェア又はソフトウェアで実行されるかは、技術的解決策の特定アプリケーションと設計制約条件に依存する。当業者は、各特定のアプリケーションに対して異なる方法を用いて記述される機能を実現することができるが、このような実現は、本出願の範囲を超えると考えられるべきではない。
【００８３】
当業者は、便利及び簡潔に説明するために、上記のシステム、装置及びユニットの具体的な動作プロセスについて、前記方法の実施例における対応するプロセスを参照でき、ここで説明を省略することを明確に理解することができる。
【００８４】
本出願で提供されるいくつかの実施例では、開示されるシステム、装置及び方法は、他の方式により実現されてもよいことが理解すべきである。例えば、上記の装置の実施例は例示的なものだけであり、例えば、前記ユニットの区分は、論理機能的区分だけであり、実際に実施する時に他の区分方式もあり得て、例えば複数のユニット又は構成要素は、組み合わせられてもよい又は別のシステムに統合されてもよく、又はいくつかの特徴は無視されてもよく、又は実行されなくてもよい。また、示されるか、又は議論される相互結合又は直接結合又は通信接続は、いくつかのインタフェースを介する装置又はユニットの間接的結合又は通信接続であってもよく、電気的、機械的又は他の形態であってもよい。
【００８５】
分離部材として説明された前記ユニットは、物理的に分離するものであってもよく又は物理的に分離するものでなくてもよく、ユニットとして表示された部材は、物理的ユニットであってもよく又は物理的ユニットでなくてもよく、すなわち一つの箇所に位置してもよく、又は複数のネットワーク要素に分布してもよい。実際のニーズに応じてそのうちの一部又は全てのユニットを選択して本実施例の解決策の目的を達成することができる。
【００８６】
また、本出願の各実施例における各機能ユニットは、一つの処理ユニットに統合されてもよく、個々のユニットは、単独で物理的に存在してもよく、二つ又は二つ以上のユニットは、一つのユニットに統合されてもよい。
【００８７】
前記機能はソフトウェア機能ユニットの形態で実現され且つ独立した製品として販売または使用される時に、一つのコンピュータ読み取り可能な記憶媒体に格納されてもよい。このような理解に基づき、本出願の技術的解決策は、本質的に又は従来技術に寄与する部分又は当該技術的解決策の部分がソフトウェア製品の形で実現されてもよく、当該コンピュータソフトウェア製品が１つの記憶媒体に記憶され、コンピュータ装置（パーソナルコンピュータ、サーバ、又はネットワークデバイス等であってもよい）に本出願の様々な実施例に記載された方法の全て又は一部のステップを実行させるためのいくつかのコマンドを含む。前記憶媒体はＵＳＢフラッシュドライブ、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【図１】
2021532661.tif 000003
【図２】
2021532661.tif 000004
【図３】
2021532661.tif 000005
【図４】
2021532661.tif 000006
【図５】
2021532661.tif 000007
【図６】
2021532661.tif 000008
【図７】
2021532661.tif 000009
【図８】
2021532661.tif 000010
【国際調査報告】
2021532661.tif 000011
2021532661.tif 000012
2021532661.tif 000013
2021532661.tif 000014